(57)【要約】【課題】装着したときの圧迫感がなく、装着中のずれ動きを防ぐことができ、そのまま洗濯することができる防塵用頭巾を提供する。【解決手段】頭巾１Ａは、実質的に扁平な頂壁２と頂壁２の周縁部３から縦方向下方へ延出する周壁４とから形成されている。頭巾１Ａでは、第１内側シート５が頂壁２の内面に配置され、第２内側シート１５，１６が周壁４の部分１４の内面に配置されている。頭巾１Ａは、頂壁２と第１内側シート５との間に第１クッション部材８が収納され、周壁４と第２内側シート１５，１６との間に第２クッション部材２１，２２が収納されている。【選択図】      図４
2005048304.tif 000002
【特許請求の範囲】
【請求項１】
通気透湿性シートから形成され、装着者の頭部と頸部と肩部とのうちの少なくとも前記頭部と前記頸部とを包被する防塵用頭巾であって、
前記頭巾が、前記装着者の頭頂に当接する実質的に扁平な頂壁と、前記頂壁の周縁部から縦方向下方へ延出する周壁とから形成され、前記周壁が、前記装着者の顔面のうちの少なくとも両眼が露出可能な開口を有し、軟質ウレタンフォームから作られた第１クッション部材が、前記頂壁の内面に着脱可能に取り付けられ、軟質ウレタンフォームから作られた第２クッション部材が、前記周壁のうちの前記装着者の顔面を除いた頭回りを囲繞する部分の内面に着脱可能に取り付けられていることを特徴とする前記頭巾。
【請求項２】
前記頂壁と並行して延びる通気透湿性第１内側シートが、前記頂壁の内面に配置され、前記第１内側シートが、前記頂壁の周縁部に固定された固定周縁部と、前記固定周縁部から周方向内方へ延びる自由部とを有し、前記第１内側シートの自由部には、前記第１クッション部材を前記頂壁の内面と前記第１内側シートの自由部との間に挿脱可能な挿入口が形成されている請求項１記載の頭巾。
【請求項３】
前記頭回りを囲繞するように前記周壁と並行して延びる通気透湿性第２内側シートが、前記周壁のうちの前記頭回りを囲繞する部分の内面に配置され、前記第２内側シートが、前記頂壁の周縁部に固定された第１固定縁部と、前記第１固定縁部の縦方向下方に位置して前記周壁に固定された第２固定縁部と、前記第１および第２固定縁部の間に位置する自由部とを有し、前記第２内側シートの自由部には、前記第２クッション部材を前記周壁の部分と前記第２内側シートの自由部との間に挿脱可能な縦方向へ延びる挿入口が形成されている請求項１または請求項２に記載の頭巾。
【請求項４】
前記第２クッション部材と前記第２内側シートとが、それらの周り方向の寸法を二分するように２つに分割され、前記第２内側シートの一方には、前記第２クッション部材の一方を前記周壁の部分と前記第２内側シートの自由部との間に挿脱可能な縦方向へ延びる前記挿入口が形成され、前記第２内側シートの他方には、前記第２クッション部材の他方を前記周壁の部分と前記第２内側シートの自由部との間に挿脱可能な縦方向へ延びる前記挿入口が形成されている請求項３記載の頭巾。
【発明の詳細な説明】
【０００１】
【発明の属する技術分野】
本発明は、医薬品や化粧品、食品を製造する工場、半導体を製造するクリーンルーム等で使用する防塵用頭巾に関する。
【０００２】
【従来の技術】
医薬品や化粧品、食品を製造する工場、半導体を製造するクリーンルーム等で作業する作業者や検査者等の装着者が装着し、それら製品に装着者に付着した塵埃や装着者の頭髪が混入することを防ぐ防塵用頭巾は公知である（例えば、特許文献１参照）。
【０００３】
特許文献１に開示の防塵用頭巾は、装着者の頭部と頸部と肩部とを包被する頭巾本体と、本体の上部に収納されるお椀状のヘルメットとから形成されている。頭巾本体には、装着者の両眼が露出する開口が形成されている。頭巾本体は、その上部が外側シートと内側シートとから形成された二重構造を呈し、外側シートに前後方向へ延びる開閉可能なファスナが形成されている。この頭巾を装着するには、ファスナを開けて外側シートを横方向へ広げ、外側シートと内側シートとの間にヘルメットを収納し、ファスナを閉めた後、頭巾を頭から被る。この頭巾は、ヘルメットを外側シートと内側シートとの間に収納することができ、ヘルメットの位置ずれを防ぐことができる。
【０００４】
【特許文献１】
特開２００２−２４９９１５号公報
【０００５】
【発明が解決しようとする課題】
前記特許文献１に開示の頭巾では、ヘルメットが硬質プラスチックから作られていると、頭巾の全重量が増加するとともに、頭巾を装着したときに、頭部にヘルメットの重みが掛かるので、頭部に不快な圧迫感を与えるのみならず、装着者の頭部や頸部の動きが抑制されてしまう。さらに、装着者が頭部を動かしたり頸部を振ったりしたときに、頭巾上部の重みによって頭巾が装着位置から不用意にずれ動いてしまう場合がある。また、この頭巾は、それを洗濯するときに、外側シートと内側シートとの間からヘルメットを取り出さなければならず、その分手間を要する。
【０００６】
本発明の目的は、装着したときの圧迫感がなく、装着中のずれ動きを防ぐことができ、そのまま洗濯することができる防塵用頭巾を提供することにある。
【０００７】
【課題を解決するための手段】
前記課題を解決するための本発明の前提は、通気透湿性シートから形成され、装着者の頭部と頸部と肩部とのうちの少なくとも前記頭部と前記頸部とを包被する防塵用頭巾である。
【０００８】
前記前提における本発明の特徴は、前記頭巾が、前記装着者の頭頂に当接する実質的に扁平な頂壁と、前記頂壁の周縁部から縦方向下方へ延出する周壁とから形成され、前記周壁が、前記装着者の顔面のうちの少なくとも両眼が露出可能な開口を有し、軟質ウレタンフォームから作られた第１クッション部材が、前記頂壁の内面に着脱可能に取り付けられ、軟質ウレタンフォームから作られた第２クッション部材が、前記周壁のうちの前記装着者の顔面を除いた頭回りを囲繞する部分の内面に着脱可能に取り付けられていることにある。
【０００９】
本発明の実施の形態の一例としては、前記頂壁と並行して延びる通気透湿性第１内側シートが、前記頂壁の内面に配置され、前記第１内側シートが、前記頂壁の周縁部に固定された固定周縁部と、前記固定周縁部から周方向内方へ延びる自由部とを有し、前記第１内側シートの自由部には、前記第１クッション部材を前記頂壁の内面と前記第１内側シートの自由部との間に挿脱可能な挿入口が形成されている。
【００１０】
本発明の実施の形態の他の一例としては、前記頭回りを囲繞するように前記周壁と並行して延びる通気透湿性第２内側シートが、前記周壁のうちの前記頭回りを囲繞する部分の内面に配置され、前記第２内側シートが、前記頂壁の周縁部に固定された第１固定縁部と、前記第１固定縁部の縦方向下方に位置して前記周壁に固定された第２固定縁部と、前記第１および第２固定縁部の間に位置する自由部とを有し、前記第２内側シートの自由部には、前記第２クッション部材を前記周壁の部分と前記第２内側シートの自由部との間に挿脱可能な縦方向へ延びる挿入口が形成されている。
【００１１】
本発明の実施の形態の他の一例としては、前記第２クッション部材と前記第２内側シートとが、それらの周り方向の寸法を二分するように２つに分割され、前記第２内側シートの一方には、前記第２クッション部材の一方を前記周壁の部分と前記第２内側シートの自由部との間に挿脱可能な縦方向へ延びる前記挿入口が形成され、前記第２内側シートの他方には、前記第２クッション部材の他方を前記周壁の部分と前記第２内側シートの自由部との間に挿脱可能な縦方向へ延びる前記挿入口が形成されている。
【００１２】
【発明の実施の形態】
添付の図面を参照し、本発明に係る防塵用頭巾の詳細を説明すると、以下のとおりである。
【００１３】
図１，２は、一例として示す防塵用頭巾１Ａの正面斜視図と、頭巾１Ａの背面斜視図とであり、図３，４は、図１のＩＩＩ−ＩＩＩ線矢視断面図と、図１のＩＶ−ＩＶ線矢視断面図とである。図１，２では、縦方向を矢印Ｌで示し、周り方向を矢印Ｍで示す。
【００１４】
頭巾１Ａは、装着者の頭頂に当接する頂壁２と、頂壁２の周縁部３から縦方向下方へ延出する周壁４とから形成されている。頭巾１Ａは、通気透湿性を有する柔軟な織物（通気透湿性シート）から作られている。
【００１５】
頂壁２は、実質的に扁平であって、その平面形状がほぼ円形を呈する。頂壁２の内面には、頂壁２と並行して延びる通気透湿性第１内側シート５が配置されている。内側シート５は、その面積が頂壁のそれとほぼ同一であり、その平面形状がほぼ円形を呈する。内側シート５は、頂壁２の周縁部３に縫合（固定）された固定周縁部６と、固定周縁部６から周方向内方へ延びる自由部７とを有する。内側シート５は、網目状を呈する柔軟な織物である。頂壁２の内面と第１内側シート５の自由部７との間には、ポケットＰ１が画成されている。ポケットＰ１には、海綿状の軽量な軟質ウレタンフォームから作られた第１クッション部材８が収納されている。
【００１６】
周壁４は、頂壁２の周縁部３に沿って周り方向へ延びている。周壁４は、装着者の頭部と頸部とを包被する筒状の上部９と、装着者の肩部を包被する筒状の下部１０とに分かれている。周壁４は、その上部９の上周縁部１１が頂壁２の周縁部３に縫合されることで、頂壁２に連結されている。周壁４の上部９と下部１０とは、それらの互いに重なり合う上下周縁部１２，１３が縫合されることで、それらが連結されている。周壁４の下部１０は、上部９から縦方向下方へ向かうにつれてその周囲長が次第に大きくなるように末広がりを呈する。
【００１７】
周壁４の上部９のうちの装着者の頭回りを囲繞する第１部分１４（部分）の内面には、周壁４と並行して周り方向へ延びる一対の通気透湿性第２内側シート１５，１６が配置されている。それら内側シート１５，１６は、網目状を呈する柔軟な織物である。ここで、装着者の頭回りとは、装着者の頭部のうちの額、側頭上部、後頭上部から形成される頭囲をいう。一方の内側シート１５は、周り方向の寸法が第１部分１４の周り方向のそれのほぼ半分であり、装着者の額の側に位置する。他方の内側シート１６は、周り方向の寸法が第１部分１４の周り方向のそれのほぼ半分であり、装着者の側頭上部と後頭上部との側に位置する。
【００１８】
それら内側シート１５，１６は、頂壁２の周縁部３に縫合（固定）された第１固定縁部１７と、第１固定縁部１７の縦方向下方に位置して周壁４に縫合（固定）された第２固定縁部１８と、周壁４に縫合（固定）された縦方向へ延びる固定両端部１９と、それら部１７，１８，１９の間に位置する自由部２０とを有する。
【００１９】
周壁４の第１部分１４と一方の第２内側シート１５の自由部２０との間には、ポケットＰ２が画成されている。ポケットＰ２には、海綿状の軽量な軟質ウレタンフォームから作られた第２クッション部材２１が収納されている。周壁４の第１部分１４と他方の第２内側シート１６の自由部２０との間には、ポケットＰ３が画成されている。ポケットＰ３には、海綿状の軽量な軟質ウレタンフォームから作られた第２クッション部材２２が収納されている。
【００２０】
一方の第２クッション部材２１は、周り方向へ長い帯状を呈し、周り方向の寸法が内側シート１５の周り方向のそれとほぼ同一であり、装着者の額の側に位置する。他方の第２クッション部材２２は、周り方向へ長い帯状を呈し、周り方向の寸法が内側シート１５の周り方向のそれとほぼ同一であり、装着者の側頭上部と後頭上部との側に位置する。
【００２１】
頭巾１Ａでは、頂壁２の周縁部３と上部９の上周縁部１１と内側シート１５の固定周縁部６と内側シート１６の固定縁部１７とが頭巾１Ａの内側に向かって折り曲げられ、それら部３，６，１１，１７が合掌状に重なり合った状態で縫合されている。頭巾１Ａでは、それら部３，６，１１，１７のエッジが頭巾１Ａの内側に露出することがないように、エッジが帯状の織物２３（被覆シート）に覆われている。それら部３，６，１１，１７のエッジが装着者の肌に接すると、装着者に不快な刺激を与えるが、それら部３，６，１１，１７のエッジが織物２３に被覆されているので、エッジが装着者の肌に接することはなく、装着者に不快な刺激を与えることはない。
【００２２】
頭巾１Ａでは、上部９の下周縁部１２と下部１０の上周縁部１３とが頭巾１Ａの内側に向かって折り曲げられ、それら周縁部１２，１３が合掌状に重なり合った状態で縫合されている。頭巾１Ａでは、それら周縁部１２，１３のエッジが頭巾１Ａの内側に露出することがないように、エッジが帯状の織物２４（被覆シート）に覆われている。頭巾１Ａは、それら周縁部１２，１３のエッジが装着者の肌に接することはなく、装着者に不快な刺激を与えることはない。
【００２３】
第１部分１４の外面には、部分１４の周り方向の寸法のほぼ半分の寸法を有する細長いベルト２５が取り付けられている。ベルト２５は、装着者の側頭上部と後頭上部とを囲繞するように、周壁４と並行して周り方向へ延びている。ベルト２５には、バックル２６が取り付けられている。ベルト２５は、バックル２６を介してその周り方向の寸法を短くしたり、長くしたりすることができる。周壁４は、ベルト２５によってその上部９の周り方向の寸法を調節することが可能である。頭巾１Ａは、ベルト２５によって装着者の頭部を締め付けることができる。
【００２４】
周壁４の上部９のうちの装着者の顔面に当接する第２部分２７には、装着者の両眼と鼻と口とを露出させるための開口２８が形成されている。第２部分２７には、装着者の鼻と口とを被覆するためのマスク２９が取り付けられている。開口２８の両側縁部３０には、メカニカルファスナのうちのフック部材３１が取り付けられている。
【００２５】
マスク２９は、その下端部３２が開口２８の下縁部３３に縫合されることで、周壁４に連結されている。マスク２９の両側縁部３４には、メカニカルファスナのうちのループ部材３５が取り付けられている。マスクは、図１に矢印Ｌ１で示すように、下端部３３を旋回軸として頭巾１Ａの縦方向上方と縦方向下方とへ旋回可能であり、縦方向上方へ旋回させたときに、マスク２９の両側縁部３４が開口２８の両側縁部３０に重なる。
【００２６】
頭巾１Ａでは、開口２８の両側縁部３０に取り付けられたフック３１にマスク２９の両側縁部３４に取り付けられたループ３５を係合させることで、マスク２９の旋回が阻止され、フック３１とループ３５との係合を解除することで、マスク２９が旋回可能となる。頭巾１Ａでは、開口２８の下縁部３３とマスク２９の下端部３２とが頭巾１Ａの内側に向かって折り曲げられ、それら部３２，３３が合掌状に重なり合った状態で縫合されている。頭巾１Ａは、下縁部３３と下端部３２とのエッジが頭巾１Ａの内側に露出することがないように、エッジが帯状の織物３６（被覆シート）に覆われている。頭巾１Ａは、下縁部３３と下端部３２とのエッジが装着者の肌に接することはなく、装着者に不快な刺激を与えることはない。
【００２７】
周壁４の上部９のうちの装着者の後頭下部および側頭下部に当接する第３部分３７には、装着者の耳を露出させるための矩形を呈する一対の開口３８が形成されている。開口３８には、網目状の織物３９が取り付けられている。織物３９は、その周縁部が開口３８の周縁部に縫合されている。
【００２８】
図５は、頂壁２および周壁４の内面を示す頭巾１Ａの斜視図である。図５では、周壁４の上部９の一部と下部１０とが裏返しにめくられており、ポケットＰ１，Ｐ２，Ｐ３から第１および第２クッション部材８，２１，２２が取り出されている。
【００２９】
第１内側シート５の自由部７には、シート５の面積をほぼ二分するように固定周縁部６間にまたがる挿入口４０が形成されている。一方の第２内側シート１５の自由部２０には、シート１５の固定縁部１７，１８間にまたがって縦方向へ延びる挿入口４１が形成されている。他方の第２内側シート１６の自由部２０には、シート１６の固定縁部１７，１８間にまたがって縦方向へ延びる挿入口４２が形成されている。それら挿入口４１，４２は、それらシート１５，１６の周り方向の寸法をほぼ二分する位置に形成されている。
【００３０】
第１クッション部材８は、その面積が頂壁２のそれよりもわずかに小さく、平面形状がほぼ円形を呈するとともに、所定の厚み寸法を有する。第１クッション部材８は、その全体が網目状の柔軟な織物４３に包被されている。第２クッション部材２１，２２は、その面積が内側シート１５，１６のそれよりもわずかに小さく、平面形状が周り方向へ長いほぼ矩形を呈するとともに、所定の厚み寸法を有する。第２クッション部材２１，２２は、その全体が網目状の柔軟な織物４４に包被されている。第１および第２クッション部材８，２１，２２は、通気透湿性を有する。
【００３１】
頭巾１Ａは、第１内側シート５の自由部７に形成された挿入口４０を広げることで、第１クッション部材８を頂壁２の内面と内側シート５の自由部７との間に画成されたポケットＰ１に収納したり、第１クッション部材８をポケットＰ１から取り出すことができる。頭巾１Ａは、第２内側シート１５，１６の自由部２０に形成された挿入口４１，４２を広げることで、第２クッション部材２１，２２を周壁４の部分１４の内面と内側シート１５，１６の自由部２０との間に画成されたポケットＰ２，Ｐ３に収納したり、第２クッション部材２１，２２をポケットＰ２，Ｐ３から取り出すことができる。それらクッション部材２１，２２を周壁４と内側シート１５，１６との間に収納すると、クッション部材２１，２２が周壁４に沿って周り方向へ湾曲する。
【００３２】
装着者が頭巾１Ａを装着する手順は、以下のとおりである。装着者は、頭巾１Ａの下部１０を広げ、下部１０に頭を通し、頭巾１Ａを頭から被る。次に、フック部材３１とループ部材３５とを係合させ、マスク２９で鼻と口とを覆う。頭巾１Ａを装着すると、頂壁２が着用者の頭頂に当接するとともに、周壁４の上部９が装着者の頭部と頸部とを包被し、周壁４の下部１０が装着者の肩部を包被する。
【００３３】
この頭巾１Ａは、第１および第２クッション部材８，２１，２２が軽量な軟質ウレタンフォームから作られているので、頭巾１Ａの全重量を軽くすることができ、頭巾１Ａを装着したときに、装着者の頭部に不快な圧迫感を与えることはなく、頭巾１Ａによって装着者の頭部や頸部の動きが抑制されることはない。また、頭巾１Ａの全重量が軽いので、装着者が頭部を動かしたり頸部を振ったりしたとしても、頭巾１Ａが装着位置から不用意にずれ動いてしまうことはない。頭巾１Ａは、第１および第２クッション部材８，２１，２２とともにそれを洗濯することができるので、洗濯時にそれらクッション部材８，２１，２２を取り外す手間を省くことができる。
【００３４】
頭巾１Ａは、頂壁２と周壁４の部分１４とに第１および第２クッション部材８，２１，２２が配置されているので、装着者の頭部を保護することができる。頭巾１Ａでは、第１クッション部材８が頂壁２の内面と第１内側シート５の自由部７との間に画成されたポケットＰ１に収納され、クッション部材８が頂壁２と内側シート５とに挟まれているので、クッション部材８がずれ動くことはなく、クッション部材８の捩れや撓みを防ぐことができる。頭巾１Ａでは、第２クッション部材２１，２２が周壁４の内面と第２内側シート１５，１６の自由部２０との間に画成されたポケットＰ２，Ｐ３に収納され、それらクッション部材２１，２２が周壁４と内側シート１５，１６とに挟まれているので、クッション部材２１，２２がずれ動くことはなく、クッション部材２１，２２の捩れや撓みを防ぐことができる。
【００３５】
頭巾１Ａは、それが通気透湿性の織物から作られ、軟質ウレタンフォームから作られた第１および第２クッション部材８，２１，２２が通気透湿性を有するので、頭巾１Ａ内部の湿気を頭巾１Ａの頂壁２と周壁４とから頭巾１Ａの外側に逃がすことができ、長時間装着したとしても、頭巾１Ａ内部が蒸れることはない。頭巾１Ａは、ベルト２５を介して周壁４の周り方向の寸法を小さくすることができるので、周壁４の周り方向の寸法を多数の装着者の頭回りの寸法に合わせることができる。頭巾１Ａは、それが装着者の頭部と頸部と肩部とを包被し、装着者に付着した塵埃や装着者の頭髪が製品に混入することを防ぐことができるので、医薬品や化粧品、食品を製造する工場、半導体を製造するクリーンルーム等で使用するのに好適である。
【００３６】
図６は、頂壁２および周壁４の内面を示す他の実施の形態の頭巾１Ｂの斜視図である。図６では、周壁４の上部９の一部と下部１０とが裏返しにめくられており、頭巾１Ｂから第１および第２クッション部材２１，２２が取り外されている。
【００３７】
この頭巾１Ｂが図１のそれと異なる点は、頂壁２の内面と周壁４の第１部分１４の内面とに第１および第２内側シート５，１５，１６が取り付けられておらず、第１および第２クッション部材８，２１，２２がメカニカルファスナを介して頂壁２と周壁４との内面に着脱可能に取り付けられることにある。この頭巾１Ｂの他の構成は、図１のそれと同一であるので、図１と同一の符号を付してその説明は省略する。
【００３８】
頂壁２の内面と周壁４の部分１４の内面とには、メカニカルファスナのうちのフック部材４５が取り付けられている。第１クッション部材８と第２クッション部材２１，２２とには、メカニカルファスナのうちのループ部材４６が取り付けられている。頭巾１Ｂでは、頂壁２の内面のフック部材４５と第１クッション部材８のループ部材４６とを係合させることで、第１クッション部材８を頂壁２の内面に取り付けることができ、フック部材４５とループ部材４６との係合を解除することで、第１クッション部材８を頂壁２の内面から取り外すことができる。頭巾１Ｂでは、周壁４の内面のフック部材４５と第２クッション部材２１，２２のループ部材４６とを係合させることで、それら第２クッション部材２１，２２を周壁４の内面に取り付けることができ、フック部材４５とループ部材４６との係合を解除することで、それら第２クッション部材２１，２２を周壁４の内面から取り外すことができる。
【００３９】
この頭巾１Ｂは、第１および第２クッション部材８，２１，２２が軽量な軟質ウレタンフォームから作られているので、頭巾１Ｂの全重量を軽くすることができ、頭巾１Ｂを装着したときに、装着者の頭部に不快な圧迫感を与えることはなく、頭巾１Ｂによって装着者の頭部や頸部の動きが抑制されることはない。また、頭巾１Ｂの全重量が軽いので、装着者が頭部を動かしたり頸部を振ったりしたとしても、頭巾１Ｂが装着位置から不用意にずれ動いてしまうことはない。
【００４０】
頭巾１Ｂは、第１および第２クッション部材８，２１，２２とともにそれを洗濯することができるので、洗濯時にそれらクッション部材８，２１，２２を取り外す手間を省くことができる。頭巾１Ｂは、それが通気透湿性の織物から作られ、軟質ウレタンフォームから作られた第１および第２クッション部材８，２１，２２が通気透湿性を有するので、頭巾１Ｂ内部の湿気を頭巾１Ｂの頂壁２と周壁４とから頭巾１Ｂの外側に逃がすことができる。この頭巾１Ｂもベルト２５を介して周壁４の周り方向の寸法を多数の装着者の頭回りの寸法に合わせることができる。
【００４１】
頭巾１Ｂは、第１および第２クッション部材８，２１，２２がポケットＰ１，Ｐ２，Ｐ３に収納された図１の頭巾１Ａと異なり、第１および第２クッション部材８，２１，２２がメカニカルファスナを介して頂壁２と周壁４との内面に取り付けられているので、メカニカルファスナの係合を解除するだけで第１および第２クッション部材８，２１，２２を頭巾１Ｂから簡単に取り外すことができる。
【００４２】
織物には、ローン，デシン，ジョーゼット，タフタ，ブロード，ギンガム，モスリン，羽二重，ちりめん等の平織物、ツイル，サージ，カシミヤ，ギャバジン等の綾織物、サテン，ドスキン等の朱子織物を使用することができる。頭巾１Ａ，１Ｂに使用する織物は、装着者に付着した塵埃が頭巾１Ａ，１Ｂの外側に出てしまうことがないように、織物を形成する繊維間の隙間が小さく、目が細かいことが好ましい。
【００４３】
頭巾１Ａ，１Ｂや第１および第２内側シート５，１５，１６は、織物の他に、編物または通気不透液性繊維不織布から作られていてもよい。編物には、平編，リブ編，パール編のよこ編物、トリコット，ラッセル，ミラーズのたて編物を使用することができる。不織布には、スパンレース、ニードルパンチ、メルトブローン、サーマルボンド、スパンポンド、ケミカルボンドの各製法により製造されたものを使用することができる。不織布の構成繊維としては、ポリオレフィン系、ポリエステル系、ポリアミド系の各繊維、ポリエチレン／ポリプロピレンやポリエチレン／ポリエステルからなる芯鞘型複合繊維または並列型複合繊維を使用することができる。頭巾１Ａ，１Ｂや第１および第２内側シート５，１５，１６が繊維不織布から作られている場合、それらの固定には、接着剤を使用したり、ヒートシールやソニックシールの熱融着の手段を利用することができる。
【００４４】
図１の頭巾１Ａでは、第２内側シート１５，１６や第２クッション部材２１，２２が２つに分かれておらず、第２内側シートや第２クッション部材が周壁４の周り方向へひとつながりになっていてもよい。図２の頭巾１Ｂでは、第２クッション部材２１，２２が２つに分かれておらず、第２クッション部材が周壁４の周り方向へひとつながりになっていてもよい。
【００４５】
【発明の効果】
本発明にかかる防塵用頭巾によれば、頂壁の内面に着脱可能に取り付けられた第１クッション部材と周壁のうちの装着者の頭回りを囲繞する部分の内面に取り付けられた第２クッション部材とが軟質ウレタンフォームから作られているので、頭巾の全重量を軽くすることができ、頭巾を装着したときに、装着者の頭部に不快な圧迫感を与えることはなく、頭巾によって装着者の頭部や頸部の動きが抑制されることはない。また、頭巾の全重量が軽いので、装着者が頭部を動かしたり頸部を振ったりしたとしても、頭巾が装着位置から不用意にずれ動いてしまうことはない。頭巾は、第１および第２クッション部材とともにそれを洗濯することができるので、洗濯時にそれらクッション部材を取り外す手間を省くことができる。
【００４６】
頂壁の内面に通気透湿性第１内側シートが取り付けられ、第１クッション部材が頂壁の内面と第１内側シートの自由部との間に収納される頭巾では、第１クッション部材が頂壁と第１内側シートとの間に保持されるので、頭巾の装着中に第１クッション部材が不用意にずれ動くことはなく、クッション部材の捩れや撓みを防ぐことができる。この頭巾は、その全重量を軽くすることができ、装着したときの圧迫感がなく、装着中のずれ動きを防ぐことができる。この頭巾は、第１クッション部材とともに洗濯することができ、第１クッション部材を頭巾から取り出す手間を省くことができる。
【００４７】
周壁のうちの頭回りを囲繞する部分の内面に通気透湿性第２内側シートが取り付けられ、第２クッション部材が周壁の内面と第２内側シートの自由部との間に収納される頭巾では、第２クッション部材が周壁と第２内側シートとの間に保持されるので、頭巾の装着中に第２クッション部材が不用意にずれ動くことはなく、クッション部材の捩れや撓みを防ぐことができる。この頭巾は、その全重量を軽くすることができ、装着したときの圧迫感がなく、装着中のずれ動きを防ぐことができる。この頭巾は、第２クッション部材とともに洗濯することができ、第２クッション部材を頭巾から取り出す手間を省くことができる。
【図面の簡単な説明】
【図１】一例として示す防塵用頭巾の正面斜視図。
【図２】頭巾の背面斜視図。
【図３】図１のＩＩＩ−ＩＩＩ線矢視断面図。
【図４】図１のＩＶ−ＩＶ線矢視断面図。
【図５】頂壁および周壁の内面を示す頭巾の斜視図。
【図６】頂壁および周壁の内面を示す他の実施の形態の頭巾の斜視図。
【符号の説明】
１Ａ          防塵用頭巾
１Ｂ          防塵用頭巾
２            頂壁
３            周縁部
４            周壁
５            第１内側シート
６            固定周縁部
７            自由部
８            第１クッション部材
１４            第１部分（部分）
１５            第２内側シート
１６            第２内側シート
１７            第１固定縁部
１８            第２固定縁部
２０            自由部
２１            第２クッション部材
２２            第２クッション部材
２８            開口
２９            マスク
４０            挿入口
４１            挿入口
４２            挿入口
４５            フック部材
４６            ループ部材
Ｐ１            ポケット
Ｐ２            ポケット
Ｐ３            ポケット
【図１】
2005048304.tif 000003
【図２】
2005048304.tif 000004
【図３】
2005048304.tif 000005
【図４】
2005048304.tif 000006
【図５】
2005048304.tif 000007
【図６】
2005048304.tif 000008